(57)【特許請求の範囲】
【請求項１】
原稿からの画像を読取るスキャナ部分が、ファクシミリ装置の本体から離れても単独で動作可能な、コードレススキャナを備えるファクシミリ装置であって、
コードレススキャナは、
原稿の画像を読取り、アナログの画像信号を出力する画像読取手段と、
画像読取手段からの画像信号をデジタルの画像データに変換する変換手段と、
変換手段によって変換された画像データに対して、予め定める画像処理を施して２値化する画像処理手段と、
画像処理手段によって画像処理が施された画像データを記憶する画像記憶手段と、
本体への装着時に、本体との間で電気的接続を行う接続手段と、
本体に接続されているとき、画像記憶手段から読出す画像データを、レベル変換して、また画像読取手段から出力されるアナログの画像信号を、本体に同一信号ラインで転送可能な画像転送手段とを含み、
前記本体は、該画像転送手段から転送される画像データを表すデジタル信号およびアナログの画像信号をデジタルの多値データに変換するＡ／Ｄ変換手段と、
Ａ／Ｄ変換手段によってデジタル信号から変換された多値データを２値化し、Ａ／Ｄ変換手段によってアナログの画像信号から変換された多値データに対して、予め定める画像処理を施して２値化する２値化画像処理手段とを含むことを特徴とするコードレススキャナを備えるファクシミリ装置。
【発明の詳細な説明】
【０００１】
【発明の属する技術分野】
本発明は、ファクシミリ装置で原稿を読取る部分を、本体との間でコード接続を行うことなく、本体から離して画像を読取ることができるコードレススキャナを備えるファクシミリ装置に関する。
【０００２】
【従来の技術】
従来から、ファクシミリ装置では、本体に固定したイメージスキャナに原稿の画像を読取らせ、公衆電話回線などを介して他のファクシミリ装置に向けて画像データを送信したり、読取った画像を直接出力するコピー動作などを行うようにしている。近年、画像読取部を取外し可能に構成し、取外したときには手持ちで原稿の画像を読取らせることができるコード接続方式のハンドスキャナ付ファクシミリ装置の普及が進んでいる。ハンドスキャナを用いると、本体に画像読取部が固定されているファクシミリ装置では読取りが困難な原稿でも画像データとして読取らせることができる。
【０００３】
しかしながら、コード接続方式のハンドスキャナを用いると、ファクシミリ装置本体からは接続コードの届く範囲までしかハンドスキャナを移動させることができず、画像データの取込み可能な範囲が制限されてしまう。ファクシミリ装置本体は、電話回線に接続されるので、設置場所は限られてしまう。
【０００４】
特開平６−８５９９４には、ファクシミリ装置とパーソナルコンピュータとの間で無線によるデータ通信を行い、ファクシミリ装置の機能を拡充する先行技術が開示されている。このような先行技術では、ファクシミリ装置で送受信される画像データに対して、パーソナルコンピュータを利用する処理や記憶を行うことができる。
【０００５】
【発明が解決しようとする課題】
従来のコード接続方式のハンドスキャナ付ファクシミリ装置で、画像データを取込む範囲が制限されることは、たとえば特開平６−８５９９４の先行技術を利用して、パーソナルコンピュータに画像を読取るスキャナなどを接続し、読取った画像を無線でファクシミリ装置に転送すれば、或る程度は解決することができる。しかしながら、画像取込みが可能な範囲は無線通信が可能な範囲に制限され、簡単な無線装置ではあまり広い範囲にわたって画像の転送を行うことができない。
【０００６】
また、ファクシミリ装置とは別に、オプションとしてコードレスハンドスキャナを用いる構成も考えられる。しかしながら、本来のファクシミリ装置とは別の専用の画像処理部を設け、画像入力部を複数個もつ必要が生じる。特に、ファクシミリ装置自体の画像処理部とコードレスハンドスキャナ用の画像処理部とで画像処理シーケンスが違えば、構成が複雑化してしまう。
【０００７】
本発明の目的は、本体の設置場所以外でも自由に画像データを取込むことが可能なコードレススキャナを備えるファクシミリ装置を提供することである。
【０００８】
【課題を解決するための手段】
本発明は、原稿からの画像を読取るスキャナ部分が、ファクシミリ装置の本体から離れても単独で動作可能な、コードレススキャナを備えるファクシミリ装置であって、
コードレススキャナは、
原稿の画像を読取り、アナログの画像信号を出力する画像読取手段と、
画像読取手段からの画像信号をデジタルの画像データに変換する変換手段と、
変換手段によって変換された画像データに対して、予め定める画像処理を施して２値化する画像処理手段と、
画像処理手段によって画像処理が施された画像データを記憶する画像記憶手段と、
本体への装着時に、本体との間で電気的接続を行う接続手段と、
本体に接続されているとき、画像記憶手段から読出す画像データを、レベル変換して、また画像読取手段から出力されるアナログの画像信号を、本体に同一信号ラインで転送可能な画像転送手段とを含み、
前記本体は、該画像転送手段から転送される画像データを表すデジタル信号およびアナログの画像信号をデジタルの多値データに変換するＡ／Ｄ変換手段と、
Ａ／Ｄ変換手段によってデジタル信号から変換された多値データを２値化し、Ａ／Ｄ変換手段によってアナログの画像信号から変換された多値データに対して、予め定める画像処理を施して２値化する２値化画像処理手段とを含むことを特徴とするコードレススキャナを備えるファクシミリ装置である。
【０００９】
本発明に従えば、コードレススキャナには画像読取手段、変換手段、画像処理手段、画像記憶手段、接続手段および画像転送手段を含む。原稿の画像を画像読取手段によって読取ると、画像信号が変換手段によって画像データに変換され、画像処理手段によって予め定める画像処理と２値化とが施された後画像記憶手段に記憶される。接続手段によってコードレススキャナをファクシミリ装置の本体に接続すると、画像転送手段は画像データを本体に転送するので、本体から離れた状態で原稿の画像を読取り、画像記憶手段に画像データとして記憶しておき、本体に装着したときに記憶された画像データを本体に転送することができる。画像データの読取時には本体と接続しておく必要はないので、本体の設置場所から離れた画像データの取込みを行うことができる。
また、コードレススキャナの画像転送手段は、画像データをレベル変換して、また画像読取手段からのアナログの画像信号を本体に同一信号ラインで転送可能であり、画像信号を画像データを表すデジタル信号およびアナログの画像信号をデジタルの多値データに変換し、画像処理するＡ／Ｄ変換手段および２値化画像処理手段が備えられる。２値化画像処理手段は、Ａ／Ｄ変換手段によってデジタル信号から変換された多値データを２値化するのでコードレススキャナを本体に装着した状態では、コードレススキャナの画像読取手段からの画像信号を本体側で直接取扱うことができる。信号を取扱うための画像処理シーケンスやソフトウエア資産は、読取手段がファクシミリ装置本体に固定されている場合について作成されているものをほとんどそのまま流用することができる。
【００２２】
【発明の実施の形態】
図１は、本発明の実施の一形態としてのファクシミリ装置１の概略的な電気的構成を示す。ファクシミリ装置１には、コードレススキャナ２および本体３が含まれる。コードレススキャナ２は、原稿４の画像を読取り、本体３は画像読取りを除いてファクシミリ装置１として必要な機能を備える。本実施形態のファクシミリ装置１は、点線で示すような、従来のコード接続方式のハンドスキャナ付ファクシミリ装置やハンドスキャナをもたないファクシミリ装置で使用される信号線５を用いない代わりに、破線で囲むような追加ブロック６を新たに追加していると考えることができる。コードレススキャナ２の走査は、コード接続方式のハンドスキャナと基本的に同様である。すなわち、一次元センサで主走査方向に画像を読取り、副走査方向への移動を検出して、読取りを繰返す。
【００２３】
すなわち、コードレススキャナ２に含まれるビデオ信号入力部１０は、イメージセンサや光源を含み、基本的に従来のファクシミリ装置と同様の構成要素である。本実施形態のコードレススキャナ２には、追加ブロック６としてアナログ／デジタル（以下「Ａ／Ｄ」と略称する）変換部１１、２値化画像処理部１２、バッファ部１３、画像圧縮伸長回路部１４、メモリ記憶部１５、メモリ残量監視部１６、スキャナイメージセンサ駆動タイミング出力部１７、駆動タイミング制御部１８、電源回路部１９およびスキャナ通信制御部２０が含まれる。Ａ／Ｄ変換部１１は、ビデオ信号入力部１０で原稿４を光学的に走査して出力されるアナログの画像信号をデジタルの画像データに変換する。２値化画像処理部１２は、Ａ／Ｄ変換部１１から出力される画像データを２値化する。バッファ部１３は、２値化された画像データを蓄積する。画像圧縮伸長回路部１４は、バッファ部１３に蓄積された画像データを圧縮し、また圧縮された画像データを伸長する画像処理を行う。メモリ記憶部１５は、画像圧縮伸長回路部１４によって圧縮された画像データを記憶する。スキャナメモリ残量監視部１６は、メモリ記憶部１５の残量を監視し、メモリが不足するメモリフル状態に近付いているか否かを判断する。メモリの残量監視は、たとえば記憶されている画像データの最終アドレスを示すポインタを用い、メモリ記憶部１５の最終アドレスまでどのくらい余裕があるか否かで判断する方法などを用いる。
【００２４】
ビデオ信号入力部１０に含まれるイメージセンサは、たとえば一次元イメージセンサであり、スキャナイメージセンサ駆動タイミング出力部１７から出力されるイメージセンサ駆動クロック信号に同期して原稿４から読取った画像に対応するアナログの画像信号であるビデオ信号を出力する。駆動タイミング制御部１８は、ビデオ信号入力部１０に与えるイメージセンサ駆動クロックを、スキャナイメージセンサ駆動タイミング出力部１７からのイメージセンサ駆動クロック信号と、本体３から与えられるイメージセンサ駆動クロック信号とから選択するように制御する。コードレススキャナ２の各回路ブロックには、電源回路部１９から動作用の電源が供給される。スキャナ通信制御部２０は、本体３との間で通信を行う。
【００２５】
本体３には、Ａ／Ｄ変換部２１、２値化画像処理部２２、バッファ部２３、画像圧縮伸長回路部２４、メモリ記憶部２５、本体メモリ残量監視部２６、本体イメージセンサ駆動タイミング出力部２７、出力部２８、電源回路部２９、本体通信制御部３０、画像変復調回路部３１、通信制御部３２および網制御部３３が含まれる。Ａ／Ｄ変換部２１は、コードレススキャナ２のビデオ信号入力部１０からスキャナ通信制御部２０および本体通信制御部３０を介して転送されるアナログの画像信号を、デジタルの画像データに変換する。変換された画像データは２値化画像処理部２２で２値化され、バッファ部２３に蓄積される。バッファ部２３に蓄積された画像データは、画像圧縮伸長回路部２４で圧縮されメモリ記憶部２５に記憶される。またメモリ記憶部２５に圧縮して記憶されている画像データは、画像圧縮伸長回路部２４で伸長される。本体メモリ残量監視部２６は、メモリ記憶部２５の残量を監視する。本体イメージセンサ駆動タイミング出力部２７は、ビデオ信号入力部１０が画像読取りを行う駆動クロック信号や、画像データ転送のための信号などを発生する。出力部２８は、受信したファクシミリ通信の画像データや、コピー用の画像データを印字出力する。電源回路部２９は、ファクシミリ装置の本体の動作用電力を供給するとともに、コードレススキャナ２が本体３に装着されているときにはコードレススキャナ２の動作用電力と電源部１９に備えられるバッテリの充電用電力を供給する。本体通信制御部３０は、コードレススキャナ２側のスキャナ通信制御部２０との間で、電力や信号についてのインターフェースを行う。
【００２６】
本体３には、ファクシミリ通信のための画像変復調回路部３１、通信制御部３２および網制御部３３も備えられ、公衆電話網への接続ための伝送路３４を介してファクシミリ通信の送受信を行うことができる。
【００２７】
本実施形態のコードレススキャナ２は、▲１▼ハンドスキャナコピー動作、▲２▼本体コピーおよび送信動作、ならびに▲３▼ハンドスキャナメモリコピーおよび送信動作の３種類に大別される処理を行うことができる。
【００２８】
▲１▼のハンドスキャナコピー動作では、ファクシミリ装置１の本体３からコードレススキャナ２を取外し、ファクシミリ装置１の設置場所から離れた場所で、コードレススキャナ２単独で原稿４からの画像データを取込む。コードレススキャナ２内での画像処理経路は、次のようになる。
【００２９】
原稿４→ビデオ信号入力部１０→Ａ／Ｄ変換部１１→２値化画像処理部１２→バッファ部１３→画像圧縮伸長回路部１４（圧縮）→メモリ記憶部１５
コードレススキャナ２の各回路ブロックは、コードレススキャナ２の電源回路部１９から動作用の電力が供給される。原稿４は、駆動タイミング制御部１８が、スキャナイメージセンサ駆動タイミング出力部１７を選択し、出力されるイメージセンサ駆動クロックに同期してビデオ信号入力部１０で読取られる。読取られたアナログの画像信号は、デジタルの画像データに変換され、２値化された後圧縮され、メモリ記憶部１５に蓄積されて記憶される。メモリ記憶部１５のメモリデータフルの状態は、スキャナメモリ残量監視部１６によって監視される。
【００３０】
▲２▼の本体コピーおよび送信動作では、コードレススキャナ２を本体３に装着した状態で、ファクシミリ装置としてのコピーおよび送信動作を行うため、画像データを本体に転送する。画像処理経路は以下のようになる。
【００３１】
原稿４→ビデオ信号入力部１０→スキャナ通信制御部２０→本体通信制御部３０→Ａ／Ｄ変換部２１→２値化画像処理部２２→バッファ部２３
その後
コピー時；→出力部２８
送信時；→画像変復調回路部３１→通信制御部３２→網制御部３３→伝送路３４
コードレススキャナ２および本体３の各回路は、本体の電源回路部２９から電力の供給を受ける。原稿４は、駆動タイミング制御部１８が本体イメージセンサ駆動タイミング出力部２７を選択し、選択されたイメージセンサ駆動クロックに同期してビデオ信号入力部１０によって読取られる。ビデオ信号入力部１０が出力するアナログの画像信号は、そのままスキャナ通信制御部２０および本体通信制御部３０に転送される。本体通信制御部３０では、このアナログの画像信号をＡ／Ｄ変換部２１へ転送する。転送されたアナログの画像信号は、デジタルの画像データに変換され、２値化画像処理部２２で２値化され、バッファ部２３に転送される。その後コピー時は出力部２８から画像として出力され、送信時は画像変復調回路部３１で変調され、通信制御部３２からファクシミリ手順信号の送受信処理が行われ、網制御部３３から伝送路３４にデータとして送信される。
【００３２】
▲３▼のハンドスキャナメモリ送信動作では、コードレススキャナ２を本体３に装着し、コードレススキャナ２によって読取られ、メモリ記憶部１５に記憶されている画像データを、ファクシミリ装置としてのコピー動作で画像出力したり、送信動作を行うために、本体３に転送する。画像処理経路は次のようになる。
【００３３】
メモリ記憶部１５→画像圧縮伸長回路部１４→バッファ部１３→スキャナ通信制御部２０→本体通信制御部３０→Ａ／Ｄ変換部２１→２値化画像処理部２２→バッファ部２３
その後、
コピー；→出力部２８
送信時；→変復調回路部３１→通信制御部３２→網制御部３３→伝送路３４コードレススキャナ２および本体３の各回路は、本体の回路部２９から電力の供給を受ける。メモリ記憶部１５に圧縮されて記憶されている画像データは、画像圧縮伸長回路部１４で伸長され、バッファ部１３に転送される。スキャナ通信制御部２０は、本体イメージセンサ駆動タイミング出力部２７から本体通信制御部３０およびスキャナ通信制御部２０を介して出力されるイメージセンサ駆動クロック信号に同期して、バッファ部１３から画像データを本体通信制御部３０に転送する。転送される画像データは、２値化されたデジタルデータであり、信号レベルをＡ／Ｄ変換部２１で受けることができるように、スキャナ通信制御部２０でレベル変換する。レベル変換された画像データは、Ａ／Ｄ変換部２１でデジタル変換されるけれども、多値化された画像データは、２値化画像処理部２２では画像処理を行わず、バッファ部１３と同一の信号に変換され、バッファ部２３に転送される。その後、コピー時は画像データを出力部２８から画像として出力する。送信時は、画像変復調回路部３１で変調し、通信制御部３２からファクシミリ手順信号の送受信処理を施され、網制御部３３から伝送路３４へデータとして送信される。
【００３４】
図２は、図１のスキャナ通信制御部２０および本体通信制御部３０の電気的構成を示す。コードレススキャナ２と本体３との接続は、たとえば８ピンの信号線を接続するコネクタ４０を用いて行う。コネクタ４０の端子仕様を次の表１に示す。
【００３５】
【表１】
0003590522.tif 000002
【００３６】
画像データの転送クロックとしては、本体コピーおよび送信動作と、ハンドスキャナメモリコピー送信動作とで、同様に一次元イメージセンサ駆動タイミング信号ＳＩ，ＣＬＫを用いる。また、コードレススキャナ２からの画像データラインフィード信号ＥＮＣと、コードレススキャナ２からのコマンド信号ＲＸＡとの選択は、任意の処理フローで可能にしておく。８番目の信号線であるコードレススキャナ本体接続認識信号ＰＨＩＲを設けることで、ケーブル接続ハンドスキャナなどで必要とされるスキャナ脱着検知用の機械的なセンサを廃止している。
【００３７】
スキャナ通信制御部２０は、８本の信号線のインターフェースを行い、本体からのコマンドを受信するコマンド受信部４１、画像データ転送のフロー制御を行うフロー制御部４２、コードレススキャナ２から本体３へのコマンドの送信を行うコマンド送信部４３、ＥＮＣ信号またはＲＸＡ信号を選択する選択回路部４４、ビデオ信号選択部４５、２値化ビデオ信号出力制御部４６を有する。本体通信制御部３０は、コネクタ４０に含まれる８本の信号のインターフェースを行い、コードレススキャナ２へコマンドを送信する送信回路部４７、画像データ転送のフロー制御を行うフロー制御部４８、コードレススキャナ２からのコマンドを受信するコマンド受信部４９、コードレススキャナ脱着確認部５０を有する。
【００３８】
図３は、コードレススキャナ２の電源回路部１９に関連する構成を示す。電源回路部１９には、スキャナ電源供給制御部５１、バッテリ電源供給部５２、本体からの電源供給部５３およびバッテリ充電供給部５４が含まれる。スキャナ電源供給制御部５１は、バッテリ電源供給部５２とスキャナ通信制御部２０から電力が供給される本体からの電源供給部５３から電源供給を受けることができ、両方の電源供給を監視している。スキャナ電源制御部５１に対して、バッテリ電源供給部５２のみから電源が供給される場合は、スキャナ電源供給部５１は、コードレススキャナ２が本体３から離れているものとみなし、バッテリ電源供給部５２からの電力をコードレススキャナ２の各回路ブロックへ供給する。本体からの電源供給部５３のみから電源が供給される場合、スキャナ電源制御部５１は、コードレススキャナ２が本体３に装着されているとみなし、本体からの電源供給部５３からの電力をコードレススキャナ２の各回路ブロックへ供給する。バッテリ電源供給部５２と本体からの電源供給部５３との双方から電源が供給される場合、スキャナ電源制御部５１は、コードレススキャナ２が本体３に装着されているとみなす。バッテリ充電制御部５４は、スキャナ通信制御部２０に含まれるコマンド受信部４１を監視し、ファクシミリ装置１とコードレススキャナ２とが各種動作モードに入っていない待期状態であると判断した場合に、本体からの電源供給部５３からの電力でバッテリ供給部５２に含まれるバッテリの充電を行う。その間、コードレススキャナ２の各回路ブロックには、スキャナ電源供給部５１から、本体からの電源供給部５３から与えられる電力がコードレススキャナ２の各ブロックに供給される。
【００３９】
図４は、図２に示すスキャナ通信制御部２０と本体通信制御部３０との間で行うコマンド送受の例を示す。Ａ１で示すコードレススキャナ接続時に、本体３は、スキャナ脱着確認部５０で、コネクタ４０の８番目のＰＨＩＲ信号の信号レベル変化を確認する。コードレススキャナ２の装着による信号レベル変化が確認されると、その後本体３は、Ａ２で電源電圧ＶＤＤをオンにする。ＶＤＤがオンになると、本体３の電源回路部２９は、コネクタ４０の１番目の端子ＶＤＤと２番目の端子ＧＮＤとの間に所定の電源電圧の電力を供給する。１番目の端子のＶＤＤと２番目の端子のＧＮＤとの間に電源回路部２９から電力が供給されると、コードレススキャナ２は、電源回路部１９を介して電力の供給を受ける。コードレススキャナ２の各回路部分が充分に立上がるための時間が経過した後、Ａ３で本体３からコードレススキャナ２へ接続認識要求のコマンドがコマンド送信回路部４７から送信される。コードレススキャナ２では、本体３からのコマンドをコマンド受信部４１で受信し、選択回路部４４では本体へコマンドを送信するコマンド送信部４３からの信号を選択し、Ａ４で示すように接続認識通知を送信する。本体３は、コードレススキャナ２からのコマンドを受信するコマンド受信部４９でコマンドを受信する。このようにして、本体３とコードレススキャナ２とは、接続認識の手順を完了する。
【００４０】
接続認識後、本体コピーおよび送信動作では、本体３はコードレススキャナ２へのコマンドとしてＡ５でコマンド送信部４７から属性要求コマンドを出力する。属性要求コマンドでは、たとえば本体コピー、送信動作等を要求する。コードレススキャナ２は、本体３からのコマンドを受信するコマンド受信部４１で、その属性要求コマンドを受信すると、ビデオ信号選択部４５でビデオ信号入力部１０からの画像信号を選択する。また駆動タイミング制御部１８で本体イメージセンサ駆動タイミング出力部２７から出力されてくる駆動クロック信号を選択する。設定完了後、コードレススキャナ２のコマンド送信部４３から、Ａ６に示すように、属性通知が送信される。
【００４１】
このようにして、図１のコードレススキャナ２のビデオ信号入力部１０に対し、本体イメージセンサ駆動タイミング出力部２７からの駆動クロック信号と、Ａ／Ｄ変換部２１に入力されるアナログの画像信号とは、コードレススキャナ２をバイパスして本体３と完全に接続された状態となり、コードレススキャナ２を有しないファクシミリ装置と同様となる。その後、本体イメージセンサ駆動タイミング出力部２７からの駆動クロック信号に同期して、Ａ／Ｄ変換部２２でアナログの画像信号がＡ７に示すように転送され、前述したような画像処理が行われる。任意のデータ量の画像処理の完了後、本体３はコマンド送信部４７から、Ａ８に示すように出力終了コマンドを送信する。コードレススキャナ２は、本体からのコマンドをコマンド受信部４１で受信し、コマンド送信部４３からＡ９に示すように出力終了確認コマンドを送信する。本体３は、コードレススキャナ２からのコマンドをコマンド受信部４９で受信し、本体コピーおよび送信動作を完了して待機状態に移る。
【００４２】
ハンドスキャナメモリコピーおよび送信動作では、接続確認後、本体３はコードレススキャナ２へハンドスキャナメモリコピーや送信動作等を示す属性要求コマンドをＡ５に示すように送信する。コードレススキャナ２は、本体からの属性要求をコマンド受信部４１で受信し、ビデオ信号選択部４５でビデオ信号出力制御部４６から画像信号出力を選択する。設定完了後、コマンド送信部４３からＡ６に示すように属性通知を本体３に送信する。その後、選択回路部４４で、フロー制御部４２からの信号を選択する。
【００４３】
本体コピーおよび送信動作と同様の本体イメージセンサ駆動タイミング出力部２７からの駆動クロックに同期し、本体コピー送信動作時とは異なる２値化されたデジタルの画像データを本体に転送するため、ファクシミリ送受信手順等の処理のため本体３の画像処理が遅れる場合が生じることがある。通常、本体コピーおよび送信動作時は、もし遅れた場合でも、ビデオ信号入力部１０での読取りを遅らせることによって取りこぼした画像データを再度取り直すことができるけれども、２値化されたデジタルの画像データではそれは困難となり、その場合画像データのフロー制御が必要となる。本実施形態では、コードレススキャナ２からのコマンド送信信号に、フロー制御信号をマルチプレクスして、任意のタイミングで切換可能にしている。本体３は、データ転送のライン同期信号であるＳＩを用い、コードレススキャナ２に対してフロー制御を行う。
【００４４】
図５は、フロー制御の状態を示す。本体３は、ＳＩ信号をハイレベルにして、画像データの入力タイミングを表す。コードレススキャナ２では、ＥＮＣ／ＲＸＡ信号をハイレベルからローレベルに変化させることで、画像データ出力の中断を表す。再開する場合には、ＥＮＣ／ＲＸＡ信号のレベルを再びハイレベルに戻す。
【００４５】
図４のＡ７では、フロー制御を行う場合、本体イメージセンサ駆動タイミング出力部２７からの駆動クロック信号に同期して、コードレススキャナ２から本体３に画像データの転送が行われる。任意のデータ量の画像処理が完了すると、本体３はコマンド送信部４７からＡ８で示すように出力終了コマンドを送信する。コードレススキャナ２は、本体３からの出力終了コマンドを、コマンド受信部４１で受信し、選択回路部４４で本体へのコマンドを送信するコマンド送信部４３を選択する。Ａ９で示すように、コマンド送信部４３から出力終了確認コマンドを送信し、本体３がコマンド受信部４９でこれを受信すると、ハンドスキャナメモリコピーおよび送信動作を完了する。
【００４６】
本実施形態では、ハンドスキャナ２２の有するメモリ記憶部１５を利用して、本体３のメモリ記憶部２５のメモリフル状態を有効に回避することができる。近年のファクシミリ装置では、主なメモリ機能として、メモリ代行機能や留守録音機能等を備える。たとえばメモリ代行受信の場合、記録紙切れを有効に回避するため、ファクシミリ受信時に記録紙が切れていれば本体３のメモリ記憶部２５で受信された画像データを記憶するメモリ代行受信を行う。そのとき本体３のメモリ記憶部２５がフル状態となると、コードレススキャナ２が接続されていれば、コードレススキャナ２のメモリ記憶部１５に画像データを転送する。メモリ代行受信の場合、次のような経路でメモリ記憶部１５に画像データが転送される。
【００４７】
伝送路３４→網制御部３３→通信制御部３２→画像変復調回路部３１→バッファ部２３→画像圧縮伸長回路２４→メモリ記憶部２５
すなわち、画像データは伝送路３４から網制御部３３を介して受信される。ファクシミリ信号手順の受信処理を通信制御部３２で行い、画像変復調回路部３１で画像データを復調する。その後、バッファ部２３に蓄積し、画像圧縮伸長回路部２４で圧縮処理され、メモリ記憶部２５で記憶する。なお圧縮処理は、それぞれのシステムに応じ省略することもできる。
【００４８】
図６は、メモリ記憶部２５の残量を監視し、メモリフル状態のときにコードレススキャナ２へ画像データを転送する手順を示す。ステップＣ１ではメモリ記憶部２５に記憶される画像データを、本体メモリ残量監視部２６で監視し、メモリ記憶部２５のメモリ残量があるかないかを判断する。残量があるときには、メモリ記憶部２５を記憶し、蓄積を続けて、ステップＣ３で処理を終了する。ステップＣ１でメモリ残量がないと判断されるときには、ステップＣ４でコードレススキャナ２のスキャナメモリ残量監視部１６がメモリ記憶部１５のメモリ残量があるかないかを判断する。メモリ残量があると判断されるときには、メモリ記憶部２５に蓄積されている画像データを画像圧縮伸長回路部２４で伸長させ、バッファ部２３に転送する。バッファ部２３に転送された画像データは前述のコマンド送受信と同一の経路を用いて、コードレススキャナ２のバッファ部１３に転送される。その後画像圧縮伸長回路部１４で圧縮処理を受け、ステップＣ５に示すようにメモリ記憶部１５に蓄積され、ステップＣ６で処理を終了する。ステップＣ４で、メモリ記憶部１６の残量がないと判断されるときには、ステップＣ７で画像データをメモリフルのために消去し、ステップＣ８で処理を終了する。
【００４９】
【発明の効果】
以上のように本発明によれば、コードレススキャナで読取る原稿の画像は画像記憶手段に記憶しておいて、コードレススキャナをファクシミリ装置の本体に装着したときに本体側に転送することができるので、本体から離れた場所でもコードレススキャナを用いて原稿の画像を取込むことができる。画像読取手段が読取る画像信号を読取時に本体に転送する必要がないので、無線で画像データを転送する場合のような制限もなく、本体への装着時に確実に画像データの転送を行うことができる。
また、コードレススキャナを本体に接続すれば、本体の着脱検知手段が接続手段に設けられる脱着確認用ポートの接続による入力レベルの変化に基づいて接続を確認するので、スキャナ着脱確認用の機械的なセンサなどを廃止し、コスト低減を図ることができる。
【図面の簡単な説明】
【図１】本発明の実施の一形態の概略的な電気的構成を示すブロック図である。
【図２】図１のスキャナ通信制御部２０および本体通信制御部３０に関連する電気的構成を示すブロック図である。
【図３】図１の電源回路部１９の電気的構成を示すブロック図である。
【図４】図１のスキャナ通信制御部２０および本体通信制御部３０の間でのコマンドの送信手順を示す図である。
【図５】図１のスキャナ通信制御部２０と本体通信制御部３０との間での画像データの転送タイミングを示す図である。
【図６】図１の実施形態で、コードレススキャナ２のメモリ記憶部１５を本体３のメモリ機能の一部として使用する手順を示すフローチャートである。
【符号の説明】
１  ファクシミリ装置
２  コードレススキャナ
３  本体
４  原稿
１０  ビデオ信号入力部
１１，２１  Ａ／Ｄ変換部
１２，２２  ２値化画像処理部
１３，２３  バッファ部
１４，２４  画像圧縮伸長回路部
１５，２５  メモリ記憶部
１６  スキャナメモリ残量監視部
１７  スキャナイメージセンサ駆動タイミング出力部
１８  駆動タイミング制御部
１９，２９  電源回路部
２０  スキャナ通信制御部
２６  本体メモリ残量監視部
２７  本体イメージセンサ駆動タイミング出力部
２８  出力部
３０  本体通信制御部
４０  コネクタ
４１，４９  コマンド受信部
４２，４８  フロー制御部
４３，４７  コマンド送信部
４４  選択回路部
４５  ビデオ信号選択部
４６  ビデオ信号出力制御部
５０  スキャナ脱着確認部
５１  スキャナ電源供給制御部
５２  バッテリ電源供給部
５４  バッテリ充電制御部
【図１】
0003590522.tif 000003
【図２】
0003590522.tif 000004
【図３】
0003590522.tif 000005
【図４】
0003590522.tif 000006
【図５】
0003590522.tif 000007
【図６】
0003590522.tif 000008